【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
フォーカスレンズを含む撮影光学系を通過した光を光電変換して撮像信号を生成する撮像手段と、
前記撮像信号から被写体のコントラストを示す焦点信号を生成する生成手段と、
当該焦点信号に基づいて前記フォーカスレンズの位置を制御する制御手段とを有する自動焦点調節装置であって、
前記制御手段は、前記フォーカスレンズを一方向に駆動する第一のスキャン動作中に前記焦点信号を順次取得し、前記フォーカスレンズの位置に対する前記焦点信号の勾配に応じて、前記フォーカスレンズの駆動速度を変更し、
前記制御手段は、第一の条件を満たした場合に、前記第一のスキャン動作において取得された前記焦点信号がピークとなる第一のフォーカスレンズ位置を検出した後で、前記フォーカスレンズを一方向に駆動する第二のスキャン動作を行い、当該第二のスキャン動作において取得された前記焦点信号がピークとなる第二のフォーカスレンズ位置に基づいて前記フォーカスレンズの位置を制御することを特徴とする自動焦点調節装置。
【請求項２】
前記第一の条件とは、前記第一のフォーカスレンズ位置とその前後の焦点信号に対応する前記フォーカスレンズの位置との差分が所定値を超えた場合であることを特徴とする請求項１に記載の自動焦点調節装置。
【請求項３】
前記制御手段は、前記第一のフォーカスレンズ位置を含むように、前記第二のスキャン動作において前記フォーカスレンズを駆動する範囲を設定することを特徴とする請求項１又は２に記載の自動焦点調節装置。
【請求項４】
前記制御手段は、前記第二のスキャン動作において前記フォーカスレンズを駆動する範囲を、前記第一のフォーカスレンズ位置を検出したときの前記フォーカスレンズの位置に対する前記焦点信号の勾配に応じて変更することを特徴とする請求項３に記載の自動焦点調節装置。
【請求項５】
前記制御手段は、前記第二のスキャン動作において前記フォーカスレンズを駆動する範囲を、絞りの値に応じて変更することを特徴とする請求項３又は４に記載の自動焦点調節装置。
【請求項６】
前記制御手段は、前記第二のスキャン動作において、固定された速度で前記フォーカスレンズを駆動することを特徴とする請求項１乃至５のいずれか１項に記載の自動焦点調節装置。
【請求項７】
第二の条件を満たした場合、前記制御手段は、前記第一の条件を満たした場合であっても、前記第二のスキャン動作を行わないことを特徴とする請求項１乃至６のいずれか１項に記載の自動焦点調節装置。
【請求項８】
前記第二の条件を満たした場合、前記制御手段は、前記第一のフォーカスレンズ位置に基づいて前記フォーカスレンズの位置を制御することを特徴とする請求項７に記載の自動焦点調節装置。
【請求項９】
前記第二の条件とは、前記第一のフォーカスレンズ位置の検出の結果が非合焦の場合であることを特徴とする請求項７又は８に記載の自動焦点調節装置。
【請求項１０】
前記第二の条件とは、絞りを所定量以上絞っていた場合であることを特徴とする請求項７乃至９のいずれか１項に記載の自動焦点調節装置。
【請求項１１】
前記第二の条件とは、画像サイズが所定サイズよりも小さい場合であることを特徴とする請求項７乃至１０のいずれか１項に記載の自動焦点調節装置。
【請求項１２】
前記第二の条件とは、画像の圧縮率が所定値以上大きい場合であることを特徴とする請求項７乃至１１のいずれか１項に記載の自動焦点調節装置。
【請求項１３】
前記第二の条件とは、撮影速度優先の撮影モードが選択されていた場合であることを特徴とする請求項７乃至１２のいずれか１項に記載の自動焦点調節装置。
【請求項１４】
前記第二の条件とは、被写体が所定量以上動いていた場合であることを特徴とする請求項７乃至１３のいずれか１項に記載の自動焦点調節装置。
【請求項１５】
前記第二の条件とは、シャッターボタンを一気押しした場合であることを特徴とする請求項７乃至１４のいずれか１項に記載の自動焦点調節装置。
【請求項１６】
フォーカスレンズを含む撮影光学系を通過した光を光電変換して撮像信号を生成する撮像手段を備える自動焦点調節装置の制御方法であって、
前記撮像信号から被写体のコントラストを示す焦点信号を生成するステップと、
当該焦点信号に基づいて前記フォーカスレンズの位置を制御するステップとを有し、
前記フォーカスレンズを一方向に駆動する第一のスキャン動作中に前記焦点信号を順次取得し、前記フォーカスレンズの位置に対する前記焦点信号の勾配に応じて、前記フォーカスレンズの駆動速度を変更し、
第一の条件を満たした場合に、前記第一のスキャン動作において取得された前記焦点信号がピークとなる第一のフォーカスレンズ位置を検出した後で、前記フォーカスレンズを一方向に駆動する第二のスキャン動作を行い、当該第二のスキャン動作において取得された前記焦点信号がピークとなる第二のフォーカスレンズ位置に基づいて前記フォーカスレンズの位置を制御することを特徴とする自動焦点調節装置の制御方法。
【請求項１７】
フォーカスレンズを含む撮影光学系を通過した光を光電変換して撮像信号を生成する撮像手段を備える自動焦点調節装置の制御をコンピュータに実行させるプログラムであって、
前記撮像信号から被写体のコントラストを示す焦点信号を生成するステップと、
当該焦点信号に基づいて前記フォーカスレンズの位置を制御するステップとを有し、
前記フォーカスレンズを一方向に駆動する第一のスキャン動作中に前記焦点信号を順次取得し、前記フォーカスレンズの位置に対する前記焦点信号の勾配に応じて、前記フォーカスレンズの駆動速度を変更し、
第一の条件を満たした場合に、前記第一のスキャン動作において取得された前記焦点信号がピークとなる第一のフォーカスレンズ位置を検出した後で、前記フォーカスレンズを一方向に駆動する第二のスキャン動作を行い、当該第二のスキャン動作において取得された前記焦点信号がピークとなる第二のフォーカスレンズ位置に基づいて前記フォーカスレンズの位置を制御することを特徴とするプログラム。
【手続補正２】
【補正対象書類名】明細書
【補正対象項目名】発明の名称
【補正方法】変更
【補正の内容】
【発明の名称】自動焦点調節装置、その制御方法及びプログラム
【手続補正３】
【補正対象書類名】明細書
【補正対象項目名】０００１
【補正方法】変更
【補正の内容】
【０００１】
本発明は、自動焦点調節装置、その制御方法及びプログラムに関し、より詳しくは電子スチルカメラやビデオ等に利用されるオートフォーカスに関する技術である。
【手続補正４】
【補正対象書類名】明細書
【補正対象項目名】０００６
【補正方法】変更
【補正の内容】
【０００６】
本発明の自動焦点調節装置は、フォーカスレンズを含む撮影光学系を通過した光を光電変換して撮像信号を生成する撮像手段と、前記撮像信号から被写体のコントラストを示す焦点信号を生成する生成手段と、当該焦点信号に基づいて前記フォーカスレンズの位置を制御する制御手段とを有する自動焦点調節装置であって、前記制御手段は、前記フォーカスレンズを一方向に駆動する第一のスキャン動作中に前記焦点信号を順次取得し、前記フォーカスレンズの位置に対する前記焦点信号の勾配に応じて、前記フォーカスレンズの駆動速度を変更し、前記制御手段は、第一の条件を満たした場合に、前記第一のスキャン動作において取得された前記焦点信号がピークとなる第一のフォーカスレンズ位置を検出した後で、前記フォーカスレンズを一方向に駆動する第二のスキャン動作を行い、当該第二のスキャン動作において取得された前記焦点信号がピークとなる第二のフォーカスレンズ位置に基づいて前記フォーカスレンズの位置を制御することを特徴とする。